(57)【特許請求の範囲】
【請求項１】
前後に離間する蓋受け部間に架設され且つ互いに左右に隣接する第１及び第２の覆蓋同士の接合構造において、
第１の覆蓋の第２覆蓋側の左右側縁には前後方向ほぼ全長に亘る第１の突堤部が上方突出状に設けられ、第２の覆蓋の第１覆蓋側の左右側縁には前後方向ほぼ全長に亘る第２の突堤部が上方突出状に設けられ、第１の突堤部と第２の突堤部とがカバー部材で前後方向ほぼ全長に亘って上方から覆われて、該カバー部材を介して第１及び第２の突堤部が一体的に連結されており、さらに、第１の覆蓋及び／又は第２の覆蓋に、第１の覆蓋に対する第２の覆蓋の下方移動を阻止するように第２の覆蓋を支持する支持部を備え、
第２の突堤部は、第１の覆蓋側に向けて左右外方に突出して、該突出部分が第１の覆蓋に上方から係合し、該第２の突堤部が、第２の覆蓋を支持する支持部として機能することを特徴とする覆蓋の接合構造。
【請求項２】
前記カバー部材は第１の覆蓋にボルト・ナット等の締結部材によって固定され、該カバー部材が第２の突堤部に上方から係合することによって第２の覆蓋に対する第１の覆蓋の下方移動が阻止されていることを特徴とする請求項１に記載の覆蓋の接合構造。
【請求項３】
第２の覆蓋を支持する支持部は、第１の覆蓋に取り付けられ且つ第２の覆蓋の下面に係合する第５のシール部材からなり、該シール部材は、第１の覆蓋の前後方向ほぼ全長に亘る長尺状であって、第１及び第２の覆蓋間の隙間を下方から覆うことを特徴とする請求項１又は２に記載の覆蓋の接合構造。
【請求項４】
前後に離間する蓋受け部間に架設され且つ互いに左右に隣接する第１及び第２の覆蓋同士の接合構造において、
第１の覆蓋の第２覆蓋側の左右側縁には前後方向ほぼ全長に亘る第１の突堤部が上方突出状に設けられ、第２の覆蓋の第１覆蓋側の左右側縁には前後方向ほぼ全長に亘る第２の突堤部が上方突出状に設けられ、第１の突堤部の左右外側縁は、左右内方に窪む凹部と左右外方に突出する凸部とが前後方向に交互に設けられた凹凸構造を呈し、第２の突堤部の左右外側縁は、第１の突堤部の左右外側縁と相補の凹凸構造を呈し、これら第１及び第２の突堤部同士が凹凸嵌合され、第１及び第２の突堤部の凸部によって第１及び第２の覆蓋間の隙間が上方から覆われており、第１の覆蓋の凸部は第２の覆蓋に上方から係合し、第２の覆蓋の凸部は第１の覆蓋に上方から係合していることを特徴とする覆蓋の接合構造。
【請求項５】
第１の突堤部と第２の突堤部とがカバー部材で前後方向ほぼ全長に亘って上方から覆われて、該カバー部材を介して第１及び第２の突堤部が一体的に連結されていることを特徴とする請求項４に記載の覆蓋の接合構造。
【発明の詳細な説明】
【技術分野】
【０００１】
本発明は、下水処理施設に設置される汚水槽や汚水路、若しくは、上水処理施設に設置される浄化槽や上水路などを覆うために架設される覆蓋の接合構造に関する。
【背景技術】
【０００２】
この種従来の覆蓋の接合構造として、特開２００１−３１１２１０号公報記載のものがある。この従来の接合構造では、隣接する覆蓋の左右側縁同士が付き合わされ、隣接する一方の覆蓋には、他方の覆蓋の天板の側縁を下方側から支持する支持部が設けられ、該支持部は天板の前後方向全長に亘って設けられ、支持部と他方の覆蓋の天板との間にはシール部材が設けられ、該シール部材は天板の前後方向全長に亘って設けられている。そして、かかる構成により、一方の覆蓋の支持部に設けたシール部材を隣接した覆蓋の天板の下面で密接させ、充分なシール効果が得られるとともに、隣接する覆蓋の天板同士が横方向にわずかにずれた場合でも隙間が生じず、シール効果が維持されるという作用効果を奏するものである。
【発明の開示】
【発明が解決しようとする課題】
【０００３】
ところで、上水処理施設の水槽乃至水路を複数の覆蓋で覆う場合、水の汚染を防止するために覆蓋同士の間の隙間からの雨水の流入をより確実に防止する必要があり、さらに、近年、薬液を水槽内に投入しようとするいたずら行為を阻止する必要も生じている。しかし、上記従来の接合構造によれば、覆蓋が静置されている場合にはシール性は確保されているが、例えば、下側となる一方の覆蓋（支持部を有する覆蓋）の上に人が乗るなどして該覆蓋に荷重が掛かる場合には、該覆蓋が下方に湾曲変形して隣接する他の覆蓋との間で隙間が発生し、この隙間から雨水や薬液が流入するおそれがある。
【０００４】
例えば図２２や図２３に示すように、覆蓋１００の左右側縁に上方に突出する凸部１０１（突堤部）を設けるとともに、隣接する覆蓋１００の双方の凸部１０１を上方から断面コ字状のカバー部材１０２で覆い、該カバー部材１０２により両覆蓋同士の間の隙間からの雨水等の流入を防止することも考えられるが、かかる構成によれば、蓋１００同士が互いにカバー部材１０２によって連結されるものとなるので、点検等の際に必要箇所の覆蓋のみを簡単に脱着したり、覆蓋全体を移動する事等が困難となるし、一方の覆蓋上に人が載った時などにおいて、カバー部材１０２のみで荷重を支持できず、蓋間の隙間が生じて雨水等が流入するおそれがある。
【０００５】
そこで、本発明は、覆蓋上の雨水や薬液が覆蓋同士の隙間から流入してしまうことを確実に阻止し得るとともに、蓋の脱着が移動が容易な覆蓋の接合構造を提供することを目的とする。
【課題を解決するための手段】
【０００６】
本発明は、上記目的を達成するために、次の技術的手段を講じた。
【０００７】
（第１発明：請求項１〜３）
また、本発明は、前後に離間する蓋受け部間に架設され且つ互いに左右に隣接する第１及び第２の覆蓋同士の接合構造において、第１の覆蓋の第２覆蓋側の左右側縁には前後方向ほぼ全長に亘る第１の突堤部が上方突出状に設けられ、第２の覆蓋の第１覆蓋側の左右側縁には前後方向ほぼ全長に亘る第２の突堤部が上方突出状に設けられ、第１の突堤部と第２の突堤部とがカバー部材で前後方向ほぼ全長に亘って上方から覆われて、該カバー部材を介して第１及び第２の突堤部が一体的に連結されており、さらに、第１の覆蓋及び／又は第２の覆蓋に、第１の覆蓋に対する第２の覆蓋の下方移動を阻止するように第２の覆蓋を支持する支持部を備えていることを特徴とする覆蓋の接合構造である。これによれば、第１及び第２の覆蓋共に、左右側縁に突堤部が設けられていることにより、雨水等は突堤部により堰き止められ、覆蓋間の隙間に雨水等が流入することを防止できる。さらに、上記カバー部材を設けているので、覆蓋間の隙間は隠蔽され、より一層のシール性の向上が図られる。
【０００８】
上記カバー部材は第１の覆蓋にボルト・ナット等の締結部材によって固定することができる。これによれば、該カバー部材が第２の突堤部に上方から係合することによって第２の覆蓋に対する第１の覆蓋の下方移動を阻止することができる。加えて、上記支持部を設けることによって、第１の覆蓋と第２の覆蓋のいずれの上に人が載っても蓋間に隙間が生じることがなく、両覆蓋を一体的に接合することが可能となる。
【０００９】
上記第２の覆蓋を支持する支持部は、第１の覆蓋に取り付けられ且つ第２の覆蓋の下面に係合する第５のシール部材からなるものであってよい。該シール部材は、第１の覆蓋の前後方向ほぼ全長に亘る長尺状であって、第１及び第２の覆蓋間の隙間を下方から覆うものとすることができる。これによれば、第５のシール部材により覆蓋間のシール性の向上と第２の覆蓋の支持とを図ることができる。
【００１０】
また、第２の突堤部を、第１の覆蓋側に向けて左右外方に突出させて、該突出部分を第１の覆蓋に上方から係合させ、該第２の突堤部を、第２の覆蓋を支持する支持部として機能させることが可能である。これによれば、構成部材数の削減を図りつつも、覆蓋間の隙間への雨水等の流入阻止と、覆蓋同士の一体的接続構造とを得ることが可能である。
【００１１】
（第２発明：請求項４，５）
また、本発明は、前後に離間する蓋受け部間に架設され且つ互いに左右に隣接する第１及び第２の覆蓋同士の接合構造において、第１の覆蓋の第２覆蓋側の左右側縁には前後方向ほぼ全長に亘る第１の突堤部が上方突出状に設けられ、第２の覆蓋の第１覆蓋側の左右側縁には前後方向ほぼ全長に亘る第２の突堤部が上方突出状に設けられ、第１の突堤部の左右外側縁は、左右内方に窪む凹部と左右外方に突出する凸部とが前後方向に交互に設けられた凹凸構造を呈し、第２の突堤部の左右外側縁は、第１の突堤部の左右外側縁と相補の凹凸構造を呈し、これら第１及び第２の突堤部同士が凹凸嵌合され、第１及び第２の突堤部の凸部によって第１及び第２の覆蓋間の隙間が上方から覆われており、第１の覆蓋の凸部は第２の覆蓋に上方から係合し、第２の覆蓋の凸部は第１の覆蓋に上方から係合していることを特徴とする覆蓋の接合構造である。これによれば、第１及び第２の覆蓋共に、左右側縁に突堤部が設けられていることにより、雨水等は突堤部により堰き止められ、覆蓋間の隙間に雨水等が流入することを防止できる。さらに、各突堤部を互いに相補の凹凸構造としてこれらを嵌合させることにより覆蓋間の隙間をなくし、一層のシール性の向上を図ることができる。また、各突堤部の凸部を、他方の覆蓋の上面に係合させることで、両覆蓋を一体的に接合され、第１の覆蓋と第２の覆蓋のいずれの上に人が載っても蓋間に隙間が生じることがない。
【００１２】
また、第１の突堤部と第２の突堤部とがカバー部材で前後方向ほぼ全長に亘って上方から覆われて、該カバー部材を介して第１及び第２の突堤部が一体的に連結されているものとすることができる。これによれば、覆蓋間のより一層のシール性の向上を図ることができる。
【００１３】
なお、覆蓋を構成する繊維強化熱硬化性樹脂発泡体における発泡樹脂の種類としては、例えば、ウレタン樹脂、エポキシ樹脂、ビニルエステル樹脂、不飽和ポリエステル樹脂、フェノール樹脂等の熱硬化性樹脂であって硬質のものが好適に使用される。なお、発泡樹脂中に、圧縮強度の向上や低コスト化を図るために、炭酸カルシウム、石膏、タルク、水酸化アルミニウム、クレー等の無機充填材や、シラスバルーン、パーライト、ガラスバルーン等の軽量骨材が添加されていてもよい。
【００１４】
また、発泡体を補強する繊維としては、例えば、ガラス繊維、炭素繊維、金属繊維等の無機質繊維、天然繊維、合成繊維等の有機質繊維のいずれであってもよいが、強度や経済性の面からガラス繊維が適している。ガラス繊維としては、ガラスロービング、ガラスロービングクロス、ガラスマット、コンティニュアスストランドマット等の形態のものが挙げられる。この繊維は単独で使用してもよいし、二層以上積層してもよく、また、長繊維と短繊維を混ぜて使用してもよい。なお、ガラス長繊維を前後方向に引き揃えて補強繊維とした、ガラス長繊維強化硬質ウレタン発泡体（例えば、積水化学工業株式会社製、商品名「エスロンネオランバーＦＦＵ」など）を採用するのが、軽量化、耐久性および加工性の確保のために最も好ましい。
【発明の効果】
【００１５】
本発明によれば、覆蓋上の雨水や薬液が覆蓋同士の隙間から流入してしまうことを確実に阻止し得るとともに、蓋の脱着が移動が容易な覆蓋の接合構造として作業効率の向上等を図ることができる。
【発明を実施するための最良の形態】
【００１６】
以下、本発明の実施の形態を図面に基づいて説明する。
図１並びに図４（ａ）は、本発明の第１実施形態に係る覆蓋の接合構造を示している。本実施形態において、上水処理施設や下水処理施設等に設けられる水槽若しくは水路１が前後に離間するコンクリート躯体２によって形成されており、前後の両躯体２が蓋受け部となる。なお、大規模な貯水池や浄水槽などにおいては、左右方向に伸びるＨ形鋼等を前後方向に複数並設して、この鋼材を蓋受け部として利用することも可能である。その他、蓋受け部は適宜の構成とすることができる。
【００１７】
前後に離間する蓋受け部２間には、左右方向に複数の覆蓋３，４が隣接配置された状態で架設されている。本実施形態では、下側に配置される第１の覆蓋３と、この第１の覆蓋３の上に載置される第２の覆蓋４とが左右方向に交互に配置されている。各覆蓋３の前後方向幅は、前後の蓋受け部２の間隔よりも若干大きく、各覆蓋３の前後端部が蓋受け部２上に設置可能となっている。各覆蓋３の左右幅は適宜のものであってよく、第１の覆蓋３の左右幅と第２の覆蓋４の左右幅とが同一であっても異なっていてもよい。
【００１８】
第１の覆蓋３は、図２（ａ）にも示すように、平面視長方形状で且つ前後方向中央が上方に湾曲するアーチ状の面板５によって主構成されており、この面板５の左右両側縁には、上方に突出する第１の凸部６が前後方向ほぼ全長に亘って設けられていて、これにより第１の覆蓋３の断面形状は全体として略凹形を呈している。凸部６は面板５と一体成形されていてもよいが、面板５とは別体に成形された角材を面板５に前後方向全長にわたり接着接合することもできる。この凸部６は、雨水等を堰き止める突堤（堰）として機能するのみならず、面板５の曲げ剛性を向上するための補強梁としても機能するものである。この凸部６の突出高さは、雨水等が蓋間に浸入しない程度であればよい。凸部５，６の高さが高くなると第１及び第２の覆蓋のそれぞれの面板５間の上下幅が大きくなり、特に前後側縁部におけるシール性に問題が生じ易くなるため、各凸部５，６の突出高さはシール性を最優先に考慮して決定することが好ましい。各覆蓋３，４の剛性が不足する場合には、図４（ｂ）に示すように、前後方向全長に亘る補強梁９を面板５の左右方向中途部（例えば左右中央）に設けることができる。これらの面板５を含む覆蓋の構造は、後述する全ての実施形態にも適用可能なものである。
【００１９】
第２の覆蓋４は、図２（ｂ）にも示すように、平面視長方形状で且つ前後方向中央が上方に湾曲するアーチ状の面板５によって主構成されており、この面板５の左右両側縁には、下方に突出する第２の凸部７が前後方向ほぼ全長に亘って設けられていて、これにより第２の覆蓋４の断面形状は全体として下に向けて略凹形を呈している。凸部７は面板５に一体成形されていてもよいが、面板５とは別体に成形された角材を面板５に前後方向全長にわたり接着接合することもできる。第２の凸部７の下方への突出長さは、第１の凸部６の上方への突出長さとほぼ等しい。
尚、第２の覆蓋４の長手方向の両端部には、図２の（ｃ）に示す凸部７’を設けておき、第１の覆蓋３にかぶさって、防臭性を確保することもできる。
【００２０】
第２の凸部７は、第１の凸部６の内側方で第１の覆蓋３上に配設されており、第１の凸部６の内側面と第２の凸部７の内側面とが対向している。なお、図４（ｂ）に示すように、第１の凸部６と第２の凸部７との間に、ゴム製等のシール部材１０を設けることで、より一層のシール性の向上と防臭性の向上とを図ることができる。また、各凸部６，７は、面板５と同じ曲率でアーチ状に湾曲している。面板５の上面は、上記凸部６，７以外の突出部位が存在せず、なだらかなアーチ状の曲面となされている。したがって、第１の覆蓋３と第２の覆蓋４とは、図１に示す状態から互いの重複範囲を増大する方向に相対的に左右に移動可能である。したがって、メンテナンス時などに水路１上を開放しようとするときは、並列配置された覆蓋を一端側に引き寄せるか、中央部より両側に引き寄せるか、または、第１及び第２の覆蓋３，４の各凸部６，７の係合を１カ所取り外し、その覆蓋を左右側方へスライドさせていくことにより、容易かつ迅速に広い開口を設けることができるとともに、作業完了後はその覆蓋を元に戻す方向にスライドさせることにより水路１上を密閉することが可能である。また、上記覆蓋４の凸部７の係合部は回動可能とされていてもよい。
【００２１】
また、本実施形態によれば、上に凹の第１の覆蓋３と下に凹の第２の覆蓋４とを互いに組み合わせた構造とすることにより、隣り合う蓋同士が一体化し、着脱が容易でありながら蓋間に隙間の発生がなく、雨水や薬液等の水槽１内への混入を防止することができるとともに、防臭性を向上することができる。
【００２２】
面板５の前後方向の断面形状は、図３（ａ）に示すアーチ状の他、図３（ｂ）に示すような山形であってもよく、また、図３（ｃ）に示すように前後方向一方側に向けて傾斜する片流れ形状であってもよい。これらのように覆蓋の上面を前後方向に傾斜させることで、上面の雨水等を前後方向外方に円滑に排水させることができる。前後外方に排水した雨水等が水槽１内に流入しないように、図３の各図に示すように、面板５の前後端部の近傍に左右幅全長に亘る脚部８を設け、この脚部８を蓋受け部２上に液密状に設置することが好ましい。脚部８は、ゴムなどの弾性体により構成してもよく、ＦＲＰ材やＦＦＵ材等によって構成することも可能である。
【００２３】
なお、各覆蓋３，４は、上記のように面板５によって主構成されたものの他、箱型の上面が平坦な構造であっても構わず、その他、適宜の構造とすることができる。
【００２４】
また、図４（ｃ）の変形実施例に示すように、各凸部６，７の突出側側縁に、左右方向内方に向けて係合部１１を突設しておき、第１の覆蓋３上に第２の覆蓋４を配置した後、両覆蓋３，４を左右に引き延ばすことにより両覆蓋３，４の左右側縁同士を凹凸嵌合させることもできる。この実施例においては、第１の凸部６の内側部が、上記係合部１１が前後方向全長にわたって設けられることにより左右方向に沿う切断面において凹凸構造を呈しており、同様に、第２の凸部７の内側部は、第１の凸部６の内側部に対して相補の凹凸構造を呈しているものである。かかる構成によれば、第１及び第２の覆蓋３，４の接合部が一体化しており、どちらの蓋に荷重が載荷されても、蓋同士の上下方向の隙間が広がらず、雨水等の浸入をより確実に防止できる。
【００２５】
また、本発明の接合構造においては、図６に示す第２実施形態のように、蓋受け部２の上面に、上方開口コ字状の枠部１２（ベース鋼材など）を左右方向に沿って設けることができる。この枠部１２は、水槽１の上方を覆うべき領域の左右幅全長に亘って形成することが好ましいが、一部にのみ設けることも可能である。また、枠部１２の前後内側の上方突出片１２ａの突出高さは、前後外側の上方突出片１２ｂの突出高さよりも低くすることが好ましい。この枠部１２は、鋼材やＦＲＰ引抜材等の適宜の部材によって構成できる。
【００２６】
一方、各覆蓋３，４の前後側縁には、下方に突出する脚部８を左右方向ほぼ全長に亘って設けることができる。なお、下側となる覆蓋３の脚部８の高さよりも、上側となる覆蓋４の脚部８の高さの方が高くなるように設定することが好ましい。
【００２７】
そして、各覆蓋３，４の脚部を、上記枠部１２内に左右方向移動可能に配置することができる。下側となる第１の覆蓋３の脚部８は、上側となる第２の覆蓋４の脚部８よりも前後方向内方に配置することができる。また、各覆蓋３，４の左右方向の摺動抵抗を低減したりシール性を確保する等のために、枠部１２の底面に低摩擦シートやゴム製等のシール板等のシート状部材１４を貼付することも可能である。さらに、全ての覆蓋の設置が完了した後、不慮に覆蓋が左右方向にスライドすることを防止するために、図５に示すように覆蓋３，４を上方から押さえる固定部材１５を枠部１２に設けることができる。この固定部材１５は、上側となる第２の覆蓋４のみに設けてもよく、下側となる第１の覆蓋３のみに設けてもよい。しかし、風等で覆蓋が飛散するのを防止する為には、少なくとも上方に配置される第２の覆蓋４を固定しておけばよい。
【００２８】
また、枠部１２は、好ましくは左右方向外方に移行するに従って徐々に下方に傾斜させるのがよい。また、枠部１２の左右外端部は、適宜の排水路に接続することが好ましい。
【００２９】
本実施形態によれば、各覆蓋３，４の上面は、雨水等を枠部１２内へ流出させるように傾斜面とされており、枠部１２が、覆蓋３，４の上面から流出された雨水等の排水路として機能するので、より確実に雨水等を排水して、水槽１内への雨水等の流入を防止できる。また、覆蓋同士の接合部の断面形状及びシール部材の配置例は、図５の（ｄ）乃至（ｇ）に示したものでもよい。
【００３０】
上記第１及び第２の凸部６，７の構造は、上記実施例に限定されるものではなく、図７に示す第３実施形態のように、左右方向に沿う切断面において全体として略コ字状のシール部材１６，１７を第１及び第２の覆蓋の面板５の左右側縁にそれぞれ取付けることによって各凸部６，７を形成しても良い。また、図８に示す第４実施形態のように、第１の覆蓋３の左右側縁の上面にシール部材を接着することにより第１の凸部６を形成し、第２の覆蓋４の左右側縁の下面にシール部材を接着することにより第２の凸部７を形成することもできる。
【００３１】
これら第３及び第４実施形態では、いずれも、第１の凸部６の内側面が左右方向に沿う切断面において凹凸構造を呈し、第２の凸部７の内側面は、第１の凸部６の内側面に対して相補の凹凸構造を呈し、第１及び第２の凸部６，７の内側面同士が凹凸嵌合している。
【００３２】
以上の各実施形態によれば、隣接配置される２枚の蓋が一体化し、防臭性並びに防液性を確保できるとともに、蓋の着脱も左右方向にスライドさせるのみで容易かつ迅速に行うことができる。さらに、凹凸嵌合構造とすることによって、蓋間に上下方向の隙間が発生することがなく、雨水や薬液等の槽内への混入を確実に防止できる。
【００３３】
図９〜図１６は、本願の請求項６〜１１に対応する各実施例構造の要部を示しており、全体構成については覆蓋同士に上記実施形態のような上下関係が存在しない点を除いて上記実施形態とほぼ同様であるので詳細説明を省略し、各実施例の特徴部分について以下詳細に説明する。
【００３４】
図９に示す本発明の第５実施形態においては、第１の覆蓋３の左右両側縁に、前後方向ほぼ全長に亘る長尺の接合部２０が設けられている。この接合部２０は、第１の覆蓋３の上面から上方に突出する基部２１と、該基部２１の上端から左右外方に延出されて第２の覆蓋４の左右一側縁を上方から覆う張出部２２とを備えている。この張出部２２の左右外側縁は下方に屈曲されており、該屈曲部２２ａの内部にゴム製等のシールパッキンからなるシール部材２３（第２のシール部材）が設けられている。このシール部材２３は、覆蓋４の前後方向ほぼ全長に亘る長尺状であって、張出部２２の下面と第２覆蓋４の面板５の上面との間を前後方向全長にわたって液密状に一次シールする。
【００３５】
また、張出部２２の先端屈曲部２２ａの下端は、第２覆蓋４の面板５の上面に近接しており、第１覆蓋３が第２覆蓋４に対して下方に移動しようとすると張出部２２の先端が第２覆蓋４に上方から係合して、第１覆蓋３の下方移動を阻止するように構成されている。
【００３６】
さらに、第２覆蓋４には、第１覆蓋３に対する第２覆蓋４の下方移動を阻止するように第２覆蓋を支持する支持部として機能するシール部材２４（第１のシール部材）が設けられている。該シール部材２４は、第２覆蓋４の面板５の左右側縁の上面に接着固定された前後方向に長尺の板材からなり、該シール部材２４は第２覆蓋４の面板５の左右側縁から左右外方に突出して、該突出部の下面が第１覆蓋３の面板５の左右側縁の上面に係合する。シール部材２４は、第２の覆蓋４の面板５の前後方向ほぼ全長にわたる長尺状とすることが好ましく、かかるシール部材２４によって、第１及び第２の覆蓋３，４の面板５間の隙間を前後方向全長にわたって上方から覆い、該隙間を二次シールすることができる。
【００３７】
上記張出部２２は、上記シール部材２４からなる凸状シール材を左右に跨ぐ凸状カバー部として機能し、即ち、シール部材２４は張出部２２によって上方から覆われた構造となる。これにより、雨水等が直接シール部材２４近傍に飛散することがなく、上記張出部２２の先端と第２覆蓋３との間の一次シール部を透過した雨水等のみがシール部材２４近傍に流入する。
【００３８】
第２覆蓋４の面板５の左右側縁の下面には、第１覆蓋３の面板５の左右側縁の下面に係合するシール部材２５（第３のシール部材）がさらに取付けられている。該シール部材２５は、第２の覆蓋４の前後方向ほぼ全長に亘る長尺状の板材からなり、第１及び第２の覆蓋３，４の面板５間の隙間を前後方向全長にわたって下方から覆うことにより、該隙間を三次シールしている。
【００３９】
なお、第２覆蓋４に取付けられた上面側のシール部材２４と下面側のシール部材２５とは、左右外方への張り出し長さが異なっており、下面側のシール部材２５の方が、上面側のシール部材２４よりも左右外方に大きく突出している。かかる構成により、蓋を設置する際には、まず第２覆蓋４を蓋受け部間に架設し、第１覆蓋３の面板５の左右側縁部が第２覆蓋４の下面側のシール部材２５上に載るように第１覆蓋３を設置した後、両覆蓋３，４を近接させるように蓋を押し込むことにより、第９図に示す接合構造が容易に得られるようになっている。
【００４０】
上記第５実施形態によれば、３重のシール構造によって蓋間から槽内に雨水等が流入することを確実に防止できるとともに、第１及び第２の覆蓋３，４の左右側縁同士が相互に上下に係合しているため、いずれの蓋の上に荷重が掛かっても蓋間に隙間が生じることがなく、防液性並びに防臭性を確保できる。さらに、第１の覆蓋３上の雨水等は、接合部２０の基部２１によって堰き止められ、蓋間に流入することが無い。なお、上記実施形態の嵌合構造は、第１及び第２覆蓋３，４間に若干の上下方向のがたつきを有していてもよい。がたつきがあっても、いずれかのシール部材によって両蓋間が密封され、雨水等の流入を防止することができる。
【００４１】
図１０は本発明の第６実施形態を示し、上記第５実施形態と同様の構成については同符号を付して詳細説明を省略し、異なる構成、作用効果について説明する。
【００４２】
本実施形態では、断面略エ字形のシール部材によって、接合部２０並びに第２の覆蓋４を支持する硬質の支持部２４が構成されているとともに、接合部２０の張出部２２自体に弾性シール部２２ｂを形成することで張出部２２と第２の覆蓋４との間をシールし、別体のシール部材を省いた構成としている。
【００４３】
即ち、本実施形態の接合部２０は、断面略エ字状のシール部材からなり、左右一方（図示例では右側）の開口溝部２０ａが第１覆蓋３の面板５の左右側縁に嵌着されており、この嵌着部位の上部側は第１覆蓋３の面板５の上面から上方に突出する基部２１を構成する。
【００４４】
また、接合部の他方の開口溝部２０ｂを形成する上部片は、基部２１から左右外方に張り出す張出部２２を構成し、下部片は第２覆蓋４の面板５の左右側縁の下面に係合する支持部２４を構成する。張出部２２の下面には、左右方向に３列のシールリップ２２ｂ（弾性シール部）が一体形成されており、張出部２２と第２覆蓋４の面板５の上面との間を前後方向全長に亘って液密状にシールするようになっているとともに、張出部２２を第２覆蓋４に上方から係合させることで第２覆蓋４に対する第１覆蓋３の下方移動を阻止するようになっている。
【００４５】
図示実施例においては、張出部２２と支持部２４の左右外方への張り出し長さが異なり、張出部２２の方が大きく突出されているが、支持部２４の方を左右外方に大きく突出させてもよく、突出量が同じであってもよい。
【００４６】
上記第６実施形態によれば、構成部材数の削減を図りつつも、両蓋３，４の一体的嵌合構造が得られ、防液性と防臭性とが得られるとともに、蓋間への雨水等の流入を防止できる。
【００４７】
図１１は本発明の第７実施形態を示しており、上記第６実施形態と同様の構成については同符号を付して詳細説明を省略し、異なる構成、作用効果について説明する。
【００４８】
本実施形態では、断面略エ字状のシール部材２０をすべて硬質に構成するとともに、張出部２２の構造を上記第５実施形態のものと同様のものとして、この張出部２２の下面と第２覆蓋４の面板５の上面との間の隙間を液密状にシールする別体のシール部材２３（第２のシール部材）を配設したものである。なお、該シール部材２３は、両蓋の接合前に予め第２覆蓋４の面板５の左右側縁の上面に接着固定されている。
【００４９】
図１２は本発明の第８実施形態を示しており、上記第７実施形態と同様の構成については同符号を付して詳細説明を省略し、異なる構成、作用効果について説明する。
【００５０】
本実施形態においては、接合部２０は、第１覆蓋３の面板５の左右側縁に嵌着される断面コ字状の取付部２０Ａを備えており、該取付部２０Ａの上部の左右内側縁から基部２１並びに張出部２２が連設されている。
【００５１】
また、第２の覆蓋４を支持する支持部２４（シール部材）は、接合部２０とは別体に設けられ、第２の覆蓋４側に取付固定されている。この支持部２４は、第２覆蓋４の面板５の左右側縁に嵌着される断面コ字状の取付部２４Ａと、該取付部２４Ａの左右外側縁の上端から左右外方に張り出す張出部２４Ｂとを一体に備えており、該張出部２４Ｂが、第１覆蓋３に取付けられた接合部２０の取付部２４上面に上方から係合することで、間接的に第１覆蓋３の面板５に上方から係合している。
【００５２】
また、支持部２４の取付部２４Ａの上面には、前後方向全長に亘る溝部２４ａが形成されており、該溝部２４ａ内に、張出部２２と第２覆蓋４との間をシールするシール部材２３が取付保持されている。
【００５３】
図１３は本発明の第９実施形態を示しており、上記第８実施形態と同様の構成については同符号を付して詳細説明を省略し、異なる構成、作用効果について説明する。
【００５４】
本実施形態では、溝部２４ａが張出部２４Ｂの上部に形成され、該張出部２４Ｂ上にシール部材２３が取付保持されている。また、接合部２０の張出部２２の先端は、支持部２４の取付部２４Ａに上方から係合するようになっており、該支持部２４を介して間接的に張出部２２が第２覆蓋４に上方から係合する。
【００５５】
また、図１４に示す第１０実施形態では、接合部２０の張出部２２の先端屈曲部２２ａにも、張出部２２と第２覆蓋４との間をシールするシール部材２３’（第２のシール部材）が取付保持されており、該シール部材２３’が第２覆蓋４側の支持部２４の取付部２４Ａに前後方向全長にわたり密着することで、より確実な防液性と防臭性とが得られる。
【００５６】
図１５に示す第１１実施形態は、上記第１０実施形態の張出部２４Ｂ上のシール部材を省いたものであり、その他の構成は同様であるので同符号を付して詳細説明を省略する。
【００５７】
図１６は、本発明の第１２実施形態を示し、図１０に示した上記第６実施形態の変形実施例である。即ち、第２覆蓋４の面板５の左右側縁にも断面コ字状の前後方向に長尺のシール部材２８（第４のシール部材）を前後方向ほぼ全長に亘って取付けることで、第２覆蓋４の左右側縁にも堰乃至突堤となる凸部２８ａを形成してある。このシール部材２８は、接合部２０の張出部２２と支持部２４との間に嵌め込むことができ、張出部２２の下面のシールリップ２２ｂ並びに先端屈曲部２２ａをシール部材２８の上面に密着させるとともに、支持部２４をシール部材２８の下面に密着させることができる。
【００５８】
なお、上記各シール部材、接合部並びに支持部は、ゴム製のほか、ＰＶＣ材、ＦＲＰ引き抜き材や、アルミニウム材等によって製作することができる。
【００５９】
図１７及び図１８は、各実施例構造の要部を示しており、全体構成については上記実施形態とほぼ同様であるので詳細説明を省略し、各実施例の特徴部分について以下詳細に説明する。
【００６０】
図１７に示す本発明の第１３実施形態の接合構造では、第１覆蓋３の面板５の左右両側縁の上面には前後方向ほぼ全長に亘る第１の突堤部３１（凸部）が上方突出状に設けられ、同様に、第２覆蓋４の面板５の左右両側縁の上面には前後方向ほぼ全長に亘る第２の突堤部３２が上方突出状に設けられている。各突堤部３１，３２の断面形状は台形状であって、左右内側面が斜め上方に向く傾斜面とされ、左右外側面は面板５の左右端面にほぼ面一な鉛直面となされている。
【００６１】
第１の突堤部３１と第２の突堤部３２とは、覆蓋の前後方向全長に亘る長尺の鋼材であって断面傘状のカバー部材３３によって前後方向ほぼ全長に亘って上方から覆われて、該カバー部材３３を介して第１及び第２の突堤部３１，３２が一体的に連結されている。カバー部材３３は、第１の覆蓋３にボルト・ナット等の締結金具３４によって固定されている。このように第１覆蓋３側に取付固定されたカバー部材３３が、第２の突堤部３２に上方から係合することによって、第２の覆蓋４に対する第１の覆蓋の下方移動が阻止されている。なお、カバー部材３３の下面には長尺のゴムシートなどのシールパッキン３７が全体にわたって貼り付けられており、カバー部材３３と、各突堤部３１，３２との間の防臭性並びに防液性の確実性を向上している。
【００６２】
さらに、第１の覆蓋３の面板５の左右側縁の下面には、第１の覆蓋３に対する第２の覆蓋４の下方移動を阻止するように第２の覆蓋を支持する支持部材３５（支持部）が接着固定されている。この支持部材３５は、第２覆蓋４の前後方向ほぼ全長に亘る長尺状のシール板（第５のシール部材）からなる。支持部材３５は、第１の覆蓋３の面板５の左右側縁よりも左右外方に張り出し、第２覆蓋４の面板５の下面に係合しているとともに、蓋間の隙間を下方から覆っている。なお、支持部材３５の上面に、長尺のゴム板等のシールパッキン３６を貼り付けて、該シールパッキン３６を第２覆蓋４の下面に密着させることにで、防臭性並びに防液性を一層確実なものとすることができる。
【００６３】
なお、上記締結金具３４は、前後方向に所定間隔で複数設けることが好ましい。また、図１７に示す実施例においては、締結金具３４のボルト軸部３４ａは、各蓋３，４の面板５間の隙間に配置され、カバー部材３３を支持部材３５に対して締結することによって間接的に第１覆蓋３に取り付け固定している。なお、かかる締結部材３４を設けなくてもよい。
【００６４】
上記第１３実施形態によれば、第１及び第２覆蓋３，４の上面の雨水等は、突堤部３１，３２によって堰き止められることで覆蓋間の隙間に流入することが防止されるとともに、両突堤部３１，３２がカバー材３３により覆われて一体的に連結されているため、より確実に隙間への雨水等の流入を防止できる。さらに、両覆蓋３，４同士が相互に上下に係合して一体的に接合しているため、どの蓋の上に載っても蓋間に隙間の発生は無く、雨水等の槽内への混入を防止することができる。
【００６５】
図１８は本発明の第１４実施形態を示しており、上記第１３実施形態と同様の構成については同符号を付して詳細説明を省略すると共に、異なる構成、作用効果について説明する。
【００６６】
本実施形態では、覆蓋の下側のシール板（第５のシール部材）を省き、このシール板に代わる構造として、第２の突堤部３２を、前後方向全長にわたって、第１の覆蓋３側に向けて面板５の左右側縁よりも左右外方に突出させて、この突出部分を第１の覆蓋３の面板５に上方から係合させており、かかる第２突堤部３２を、第１覆蓋３に対する第２覆蓋４の下方移動を阻止するように第２覆蓋４を支持する支持部として機能させているとともに、両覆蓋３，４の面板５間の隙間を上方から覆うシール部材として機能させている。また、締結部材３４は、第１覆蓋３の面板５に直接取り付けているが、かかる締結部材３４を設けなくともよい。
【００６７】
なお、上記第１３及び第１４実施形態に係る接合構造において、第１の突堤部３１は第１の覆蓋３の上面から上方に突出する基部を構成し、カバー部材３３は基部から左右外方に延出されて第２の覆蓋の左右一側縁を上方から覆う張出部を構成し、シール板３５若しくは第２突堤部３２は、第１の覆蓋３に対する第２の覆蓋４の下方移動を阻止するように第２の覆蓋４を支持する支持部を構成するものである。
【００６８】
図１９及び図２０は、本発明の第１５実施形態に係る接合構造の要部を示しており、上記第１４実施形態と同様の構成については同符号を付して詳細説明を省略し、異なる構成、作用効果について説明する。
【００６９】
本実施形態においては、両突堤部３１，３２を覆うカバー部材が設けられていない。また、第１の突堤部３１の左右外側縁は、左右内方に窪む凹部３１ａと左右外方に突出する凸部３１ｂとが前後方向に交互に設けられた凹凸構造を呈している。凹部３１ａは、覆蓋３の面板５の左右側縁よりも左右内方に窪む一方、凸部３１ｂは、覆蓋３の面板５の左右側縁よりも左右外方に張り出すように構成されている。
【００７０】
一方、第２の突堤部３２の左右外側縁は、第１の突堤部３１の左右外側縁の上記した凹凸構造と相補の凹凸構造を呈している。即ち、第２の突堤部３２の左右外側縁も、左右内方に窪む凹部３２ａと左右外方に突出する凸部３２ｂとが前後方向に交互に設けられた凹凸構造を呈しており、凹部３２ａは、覆蓋４の面板５の左右側縁よりも左右内方に窪む一方、凸部３２ｂは、覆蓋４の面板５の左右側縁よりも左右外方に張り出すように構成されている。
【００７１】
各突堤部の凸部３１ｂ，３２ｂは先窄まり状の台形状を呈し、第１及び第２の突堤部３１，３２同士は前後方向の隙間がないように左右方向から凹凸嵌合されており、第１及び第２の突堤部３１，３２の凸部３１ｂ，３２ｂによって第１及び第２覆蓋３，４の面板５間の隙間が前後方向全長にわたって上方から覆われている。そして、第１の覆蓋３の凸部３１ｂは第２の覆蓋４の面板５に、凹部３２ａの部位で上方から係合しており、一方、第２の覆蓋４の凸部３２ｂは第１の覆蓋３の面板５に、凹部３１ａの部位で上方から係合している。このように交互に嵌合してなる第１及び第２の凸部３１，３２は、全体として断面台形状を呈している。また、かかる嵌合構造によって、第１及び第２の覆蓋３，４は、上下方向にも一体化されるとともに、前後方向にも一体化され、安定性の高い接合構造が得られる。
【００７２】
なお、各凸部３１ｂ，３２ｂの下面には、ほぼ全面にわたってシート状のシールパッキン３９が貼り付けられており、各凸部３１ｂ，３２ｂの下面と面板５の上面とを液密状に密着させることで、より一層のシール性の向上を図っている。また、図示していないが、各凸部３１ｂ，３２ｂの側面や凹部３１ａ，３２ａの内側面にシールパッキンを貼り付けることも可能である。
【００７３】
図２１は本発明の第１６実施形態に係る接合構造を示しており、上記第１５実施形態と同様の構成については同符号を付して詳細説明を省略し、異なる構成、作用効果について説明する。
【００７４】
本実施形態では、第１６実施形態の接合構造を基本とし、これに上記カバー部材３３を設けて、該カバー部材３３で両突堤部３１，３２を前後方向ほぼ全長に亘って上方から覆い、該カバー部材３３を介して第１及び第２の突堤部３１，３２を一体的に連結したものである。
【００７５】
なお、カバー部材３３は、蓋の設置完了後に、各凸部３１ｂ，３２ｂの基部近傍において、それぞれの覆蓋３，４に対してボルト等の締結部材３４によって固定されている。
【００７６】
本発明は、上記各実施形態に限定されるものではなく、適宜設計変更することができる。例えば、必要に応じてゴム製等のシールパッキンを所要部位に追加してもよい。また、各構成部材の材料等も特定ものに限定されるものではなく、要求される防臭性や防液性の程度や、施工性、加工性等を考慮しつつ選定することが可能である。
【図面の簡単な説明】
【００７７】
【図１】本発明の第１実施形態に係る覆蓋の接合構造を示す簡略斜視図である。
【図２】同接合構造に用いた覆蓋の斜視図であって、（ａ）は第１の覆蓋を示し、（ｂ）は第２の覆蓋を示す。
【図３】本発明に用いる覆蓋の前後方向断面構造の例を示し、（ａ）はアーチ蓋の断面図、（ｂ）は山形蓋の断面図、（ｃ）は片流れ形蓋の断面図である。
【図４】覆蓋の凸部構造の各種実施例を示す断面図である。
【図５】覆蓋の接合部の断面形状及びシール部材の配置の各種実施例を示す断面図である。
【図６】本発明の第２実施形態に係る覆蓋の接合構造を示し、（ａ）は覆蓋の前後端部の平面図、（ｂ）は（ａ）のＡ−Ａ線断面図、（ｃ）は（ａ）のＢ−Ｂ線断面図である。
【図７】本発明の第３実施形態に係る覆蓋の接合構造の要部拡大断面図である。
【図８】本発明の第４実施形態に係る覆蓋の接合構造の要部拡大断面図である。
【図９】本発明の第５実施形態に係る覆蓋の接合構造の要部拡大断面図である。
【図１０】本発明の第６実施形態に係る覆蓋の接合構造の要部拡大断面図である。
【図１１】本発明の第７実施形態に係る覆蓋の接合構造の要部拡大断面図である。
【図１２】本発明の第８実施形態に係る覆蓋の接合構造の要部拡大断面図である。
【図１３】本発明の第９実施形態に係る覆蓋の接合構造の要部拡大断面図である。
【図１４】本発明の第１０実施形態に係る覆蓋の接合構造の要部拡大断面図である。
【図１５】本発明の第１１実施形態に係る覆蓋の接合構造の要部拡大断面図である。
【図１６】本発明の第１２実施形態に係る覆蓋の接合構造の要部拡大断面図である。
【図１７】本発明の第１３実施形態に係る覆蓋の接合構造の要部拡大断面図である。
【図１８】本発明の第１４実施形態に係る覆蓋の接合構造の要部拡大断面図である。
【図１９】本発明の第１５実施形態に係る覆蓋の接合構造の要部拡大斜視図である。
【図２０】同実施形態の接合構造の下面側から見た分解斜視図である。
【図２１】本発明の第１６実施形態に係る覆蓋の接合構造の要部拡大斜視図である。
【図２２】覆蓋の接合構造の一例を示す一部破断斜視図である。
【図２３】同接合構造の要部拡大断面図である。
【符号の説明】
【００７８】
１    槽
２    蓋受け部
３    第１の覆蓋
４    第２の覆蓋
６    第１の凸部
７    第２の凸部
８    脚部
１２    枠部
２０    接合部（シール部材）
２１    基部（突堤部）
２２    張出部
２３，２３’    第２のシール部材
２４    第１のシール部材
２５    第３のシール部材
２８    第４のシール部材
３１    第１の突堤部
３２    第２の突堤部
３３    カバー部材
３４    締結部材
３５    支持部
【図１】
0004668949.tif 000002
【図２】
0004668949.tif 000003
【図３】
0004668949.tif 000004
【図４】
0004668949.tif 000005
【図５】
0004668949.tif 000006
【図６】
0004668949.tif 000007
【図７】
0004668949.tif 000008
【図８】
0004668949.tif 000009
【図９】
0004668949.tif 000010
【図１０】
0004668949.tif 000011
【図１１】
0004668949.tif 000012
【図１２】
0004668949.tif 000013
【図１３】
0004668949.tif 000014
【図１４】
0004668949.tif 000015
【図１５】
0004668949.tif 000016
【図１６】
0004668949.tif 000017
【図１７】
0004668949.tif 000018
【図１８】
0004668949.tif 000019
【図１９】
0004668949.tif 000020
【図２０】
0004668949.tif 000021
【図２１】
0004668949.tif 000022
【図２２】
0004668949.tif 000023
【図２３】
0004668949.tif 000024